【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
複数の音響映像セグメントを含む音響映像コンテンツを処理する方法であって、前記音響映像セグメントの各々は、関連付けられた時間間隔中に表示されるように意図される、方法であって、前記方法は、
前記音響映像セグメントの中で、センシティブなセグメント基準と呼ばれる予め定められた基準に対応する少なくとも１つの音響映像セグメントを検出するステップと、
前記センシティブなセグメント基準を満たす前記少なくとも１つの音響映像セグメントを除いて前記音響映像セグメントをスクリーン上に順次表示するステップと、
を含み、前記方法は更に、  
前記音響映像コンテンツに関連付けられ且つ前記音響映像コンテンツに同期された音響説明信号を取得するステップであって、前記音響説明信号が、前記音響映像コンテンツ中に現れるイベントを説明する音響説明データと呼ばれるデータを含む、ステップと、
前記センシティブなセグメント基準を満たす前記少なくとも１つの音響映像セグメントの表示のために意図された前記時間間隔中に、前記音響説明信号の前記音響説明データを再生するステップと、
を含む、前記方法。
【請求項２】
前記センシティブなセグメント基準を満たす前記音響映像セグメントの検出は、ユーザーインターフェースを使用して手動で実行される、請求項１に記載の方法。
【請求項３】
前記センシティブなセグメント基準を満たす前記音響映像セグメントの検出は自動的に実行される、請求項１に記載の方法。
【請求項４】
前記予め定められた基準に対応する前記音響映像セグメントは、身体上もしくは言葉上の暴力、及び／又は性を含む音響映像セグメントである、請求項１から３のいずれか１つに記載の方法。
【請求項５】
中間期間だけでなく前記センシティブなセグメント基準を満たすいくつかの前記音響映像セグメントのグループが、単一のセンシティブなセグメントに取り込まれる、請求項１に記載の方法。
【請求項６】
複数の音響映像セグメントを含む音響映像コンテンツのための再生装置であって、前記音響映像セグメントの各々は、関連付けられた時間間隔中に表示されるように意図される、再生装置であって、
前記音響映像コンテンツ及び前記音響映像コンテンツに関連付けられ且つ前記音響映像コンテンツに同期された音響説明信号の取得手段であって、前記音響説明信号は、前記音響映像コンテンツ中に現れるイベントを説明する音響説明データと呼ばれるデータを含む、取得手段を含み、
前記再生装置はまた、
前記音響映像セグメントの中で、センシティブなセグメント基準と呼ばれる予め定められた基準に対応する少なくとも１つの音響映像セグメントを検出する手段と、
前記音響映像コンテンツにおける前記センシティブなセグメント基準を満たす前記音響映像セグメントを削除する手段と、
前記センシティブなセグメント基準を満たす前記少なくとも１つの音響映像セグメントを除いて音響映像セグメントを再生し、かつ前記センシティブなセグメント基準を満たす前記少なくとも１つの音響映像セグメントの表示のために意図された前記時間間隔中に、前記音響説明信号の音響データを再生する手段と、
を含む、前記再生装置。
【請求項７】
前記検出する手段は、ユーザーインターフェースを含む、請求項６に記載の装置。
【請求項８】
前記予め定められた基準に対応する前記音響映像セグメントは、身体上もしくは言葉上の暴力、及び／又は性を含む音響映像セグメントである、請求項６又は７項に記載の装置。
【手続補正２】
【補正対象書類名】明細書
【補正対象項目名】０００４
【補正方法】変更
【補正の内容】
【０００４】
このような情報のロスを克服するために、前述のシーケンスの間に行われるアクションを説明したテキストにより、各センシティブなシーケンスを置き換えることが、米国特許第６１１５０５７号の文献を介して、知られている。このテキストは、不適切なシーケンスの代わりにシーケンスの期間中に表示される。よって、視聴者はシナリオの理解に利用可能で必要なすべての情報を有する。このテキストは、ビデオフレームで送信され得る。
【手続補正３】
【補正対象書類名】明細書
【補正対象項目名】０００８
【補正方法】変更
【補正の内容】
【０００８】
この目的のために、本発明は複数の音響映像セグメントを含む音響映像コンテンツを処理する方法であって、前記音響映像セグメントの各々は、関連付けられた時間間隔中に表示されるように意図され、前記方法は、
前記音響映像セグメントの中で、センシティブなセグメントと呼ばれる所定の基準に応じた少なくとも１つの音響映像セグメントを検出するステップと、
前記少なくとも１つのセンシティブなセグメントを除いて前記音響映像セグメントをスクリーン上に順次表示するステップと、
を含み、前記方法は更に、
前記音響映像コンテンツに関連付けられ且つ前記音響映像コンテンツに同期された音響説明信号を取得するステップであって、前記音響信号が、前記音響映像コンテンツ中に現れるイベントを説明する音響説明データと呼ばれるデータを含む、ステップと、
前記少なくとも１つのセンシティブなセグメントの表示のために供給された時間間隔中に前記音響説明信号の前記音響説明データを再生するステップと、を含むことが重要である、
前記方法を提案する。
【手続補正４】
【補正対象書類名】明細書
【補正対象項目名】０００９
【補正方法】変更
【補正の内容】
【０００９】
従って、本発明によれば、通常は全盲者や弱視者のために意図されている音響説明信号は、センシティブなシーケンスの表示のために最初に意図された時間間隔の間に再生される。
【手続補正５】
【補正対象書類名】明細書
【補正対象項目名】００１３
【補正方法】変更
【補正の内容】
【００１３】
特定の実施形態によれば、センシティブなセグメントの検出はユーザーインターフェースを使用して手動で行われる。
【手続補正６】
【補正対象書類名】明細書
【補正対象項目名】００１４
【補正方法】変更
【補正の内容】
【００１４】
他の実施形態によれば、センシティブなセグメントの検出が自動的に行われる。
【手続補正７】
【補正対象書類名】明細書
【補正対象項目名】００１６
【補正方法】変更
【補正の内容】
【００１６】
本発明はまた、関連付けられた時間間隔中に音響映像セグメントの各々が表示されるように意図されている複数の音響映像セグメントを含む音響映像コンテンツを再生する装置に関連し、前記装置は、前記音響映像コンテンツ及び前記音響映像コンテンツに関連付けられ且つ前記音響映像コンテンツに同期された音響説明信号を取得する手段であって、前記音響説明信号が、前記音響映像コンテンツ中に現れるイベントを説明する音響説明データと呼ばれるデータを含む手段を含み、前記装置は更に、
前記音響映像セグメントの中で、センシティブなセグメントと呼ばれる所定の基準に応じた少なくとも１つの音響映像セグメントを検出する手段と、
前記音響映像コンテンツにおける前記センシティブなセグメントを削除する手段と、
前記少なくとも１つのセンシティブなセグメントの表示のために提供された時間間隔中に前記音響説明信号の前記音響データを再生するために、前記少なくとも１つのセンシティブなセグメントを除き音響映像セグメントを再生する手段と、を含むことを特徴とする。
【手続補正８】
【補正対象書類名】明細書
【補正対象項目名】００２０
【補正方法】変更
【補正の内容】
【００２０】
本発明によれば、音響映像コンテンツのセンシティブなシーケンスの表示を、前記音響映像コンテンツに関連付けられた音響信号からの音響データの再生に置き換えることが提案される。
【手続補正９】
【補正対象書類名】明細書
【補正対象項目名】００２２
【補正方法】変更
【補正の内容】
【００２２】
本発明によれば、事前の基準に対応した音響映像シーケンス、例えばセンシティブなシーケンスとして知られている性及び／又は暴力を含むシーケンスは表示されず、その代わりに、これらのシーケンスの表示のために最初に意図された時間間隔の間に音響映像コンテンツに関連付けられた音響説明信号が読み上げられる。従って視聴者は、音響説明信号を介して、表示されないシーケンスを説明する情報を取得して、音響映像コンテンツの進行に正しく従うことが可能になる。音響説明信号の音響データは、会話の部分ではない。従って、これらのデータが言葉上の暴力に取り込まれ得るフレーズや単語を含む危険性はない。
【手続補正１０】
【補正対象書類名】明細書
【補正対象項目名】００２３
【補正方法】変更
【補正の内容】
【００２３】
図１を参照すると、本発明の方法は、音響映像コンテンツの音響映像セグメントの中から、例えば性及び／又は暴力を含むセンシティブなシーケンスを検出するために意図されたステップＳ１を含む。ステップＳ２によると、再生している音響映像シーケンスが、センシティブなシーケンスでない場合、それが再生される。別の状況で、センシティブなシーケンスがステップＳ１で検出された場合、先にステップＳ３の間に取得の信号が事前に取得されて、音響説明信号の音響説明データは時間間隔の間に再生される（ステップＳ４）。
【手続補正１１】
【補正対象書類名】明細書
【補正対象項目名】００２４
【補正方法】変更
【補正の内容】
【００２４】
センシティブなシーケンスの検出は、ユーザーインターフェースにより手動で操作することができる。例えば、リモコンの“非難”ボタンは、親がその子供たちとテレビを見ている時、両親の一方がこのボタンを押すと、再生されている画像の表示と対応した音の再生を停止して、それらを音響説明信号の再生に置換するようにプログラムされている。音響説明データが、センシティブなシーケンスの終了を示した時、親が再び“非難”ボタンを押して、音響映像コンテンツの通常の表示に戻す。この検出はまた、音響映像コンテンツの事前の間に両親が行うことができる。この事前の視聴の過程に亘って、両親はセンシティブなシーケンスの始めと終わりにマークまたはタイムスタンプを付す。音響映像コンテンツの再生装置における非難オプションと呼ばれるオプションは、音響説明信号とマークが付いているシーケンスとを置換するための責任がある。このオプションはビデオプレーヤーで活性化されると、マークされたシーンの置換はコンテンツを後から視聴するように自動化されている。従って、親がいない場合でも、子供たちは、センシティブなシーケンスが音響の説明に自動的に置き換えられる音響映像コンテンツを見ることができる。
【手続補正１２】
【補正対象書類名】明細書
【補正対象項目名】００２５
【補正方法】変更
【補正の内容】
【００２５】
変形例では、センシティブなシーケンスの検出は、公知の検出方法、例えば、文献“ビデオデータ内の人の暴力検出”、A.Datta, M.Shah, N.V.Lobo、IEEE international Conference on Pattern Recognition, Canada, 2002”に説明された暴力の検出方法によって自動的に行うことができる。
【手続補正１３】
【補正対象書類名】明細書
【補正対象項目名】００２６
【補正方法】変更
【補正の内容】
【００２６】
本発明の変形例によれば、時間的に近いセンシティブなシーケンスのセットは、検出された最初のシーケンスの開始と最後のシーケンスの終了との間の時間間隔に相当する期間の単一のセンシティブなシーケンスの検出に取り込むことができる。この目的では、２つのシーケンス間の感度が良くないシーケンスの最小の視聴時間が決定される。この決定された時間が達していない場合、前のセンシティブなゾーンと中間の感度が良くないゾーンと次のセンシティブなゾーンとの間の再グループ化が行われ、音響説明信号の音響説明データが、この再グループ化に関連付けられている時間間隔で再生される。
【手続補正１４】
【補正対象書類名】明細書
【補正対象項目名】００２８
【補正方法】変更
【補正の内容】
【００２８】
図２は、本発明による音響映像コンテンツ再生装置のブロック図を示している。それは、音響映像コンテンツ及び音響信号を取得する手段１１を含む。音響映像コンテンツ及び音響説明信号は、ネットワーク、例えばＤＴＴ（デジタル地上波テレビ）ネットワークから、又は、ＤＶＤから受け取ることができる。この装置はまた、センシティブなセグメントを検出する検出手段１２を備えている。先に示したように、それはプログラムされた“非難”ボタンを含むユーザーインターフェースであり得る。装置は、検出されたセンシティブなセグメントを削除する手段１３を備える。そして最後に、それは音響説明信号の音響データを再生するために、センシティブなセグメントの再生のために元々意図された時間間隔の間に感度が良くない音響映像セグメントを再生する手段１４を備える。
【手続補正１５】
【補正対象書類名】明細書
【補正対象項目名】００２９
【補正方法】変更
【補正の内容】
【００２９】
本発明の変形例によれば、感度が良くないセグメントの音響映像データ、及び、センシティブなセグメントのための音響説明データの音響データのセットは、特定の決定されたセンシティブな基準に応じた独自のデータストリームなどの任意の担体上に記録することができる。この場合には、これらの基準の指示は記録担体上に示すことができる。
［付記１］
複数の音響映像セグメントを含む音響映像コンテンツを処理する方法であって、前記音響映像セグメントの各々は、関連付けられた時間間隔中に音響映像セグメント表示されるように意図される、方法であって、前記方法は、
前記音響映像セグメントの中で、センシティブなセグメント基準と呼ばれる所定の基準に対応する少なくとも１つの音響映像セグメントを検出するステップ（Ｓ１）と、
前記少なくとも１つのセンシティブなセグメントを除いて前記音響映像セグメントをスクリーン上に順次表示するステップ（Ｓ２）と、
を含み、前記方法は更に、
前記音響映像コンテンツに関連付けられ且つ前記音響映像コンテンツに同期された音響説明信号を取得するステップであって、前記音響説明信号が、前記音響映像コンテンツ中に現れるイベントを説明する音響説明データと呼ばれるデータを含む、ステップ（Ｓ３）と、
前記少なくとも１つのセンシティブなセグメントの表示のために意図された時間間隔中に前記音響説明信号の前記音響説明データを再生するステップ（Ｓ４）と、
を含む、前記方法。
［付記２］
前記センシティブなセグメントの検出は、ユーザーインターフェースを使用して手動で実行される、付記１に記載の方法。
［付記３］
前記センシティブなセグメントの検出は自動的に実行される、付記１に記載の方法。
［付記４］
前記所定の基準に対応する前記音響映像セグメントは、身体上もしくは言葉上の暴力、及び／又は性を含む音響映像セグメントである、付記１から３のいずれか１つに記載の方法。
［付記５］
中間期間だけでなくいくつかのセンシティブなセグメントのグループが、単一のセンシティブなセグメントに取り込まれる、付記１に記載の方法。
［付記６］
複数の音響映像セグメントを含む音響映像コンテンツのための再生装置（１）であって、前記音響映像セグメントの各々は、関連付けられた時間間隔中に表示されるように意図される、再生装置であって、
前記音響映像コンテンツ及び前記音響映像コンテンツに関連付けられ且つ前記音響映像コンテンツに同期された音響説明信号の取得手段であって、前記音響説明信号は、前記音響映像コンテンツ中に現れるイベントを説明する音響説明データと呼ばれるデータを含む、取得手段（１１）を含み、
前記再生装置はまた、
前記音響映像セグメントの中で、センシティブなセグメントと呼ばれる所定の基準に対応する少なくとも１つの音響映像セグメントを検出する手段（１２）と、
前記音響映像コンテンツにおける前記センシティブなセグメントを削除する手段（１３）と、
前記少なくとも１つのセンシティブなセグメントを除いて音響映像セグメントを再生し、かつ前記少なくとも１つのセンシティブなセグメントの表示のために意図された時間間隔中に前記音響説明信号の前記音響データを再生する手段（１４）と、
を含む、前記再生装置。
［付記７］
前記検出する手段は、ユーザーインターフェースを含む、付記６に記載の装置。
［付記８］
前記所定の基準に対応する音響映像セグメントは、身体上もしくは言葉上の暴力、及び／又は性を含む音響映像セグメントである、付記６又は７項に記載の装置。